(57)【要約】【課題】長尺物を変形させたり、外傷を発生させることなく常に精度良くセンターリングすることが出来る円柱状または円筒状の長尺物のセンターリングガイド装置を提供することを目的とする。【解決手段】センターリングガイド装置は、接近，離反可能な一対の平行な第１ガイドロール１１ａ，１１ｂと、この第１ガイドロール１１ａ，１１ｂと平行な面内で直交する接近，離反可能な一対の平行な第２ガイドロール１２ａ，１２ｂとで構成し、前記第１ガイドロール１１ａ，１１ｂと、第２ガイドロール１２ａ，１２ｂとを、同期して拡縮作動する伝達機構１３により連結してある。前記伝達機構１３は、第１ガイドロール１１ａ，１１ｂを接近，離反させる左右送りネジ等の第１送りネジ１４と、第２ガイドロール１２ａ，１２ｂを接近，離反させる左右送りネジ等の第２送りネジ１５と、第１送りネジ１４と第２送りネジ１５とを連結する歯車機構１６とで構成される。【選択図】  図１
2005008299.tif 000002
【特許請求の範囲】
【請求項１】
接近，離反可能な一対の平行な第１ガイドロールと、この第１ガイドロールと平行な面内で直交する接近，離反可能な一対の平行な第２ガイドロールとで構成し、前記第１ガイドロールと、第２ガイドロールとを、同期して拡縮作動する伝達機構により連結して成る円柱状または円筒状の長尺物のセンターリングガイド装置。
【請求項２】
前記伝達機構は、一対の平行な第１ガイドロールを接近，離反させる第１送りネジと、一対の平行な第２ガイドロールを接近，離反させる第２送りネジと、第１送りネジと第２送りネジとを連結する歯車機構とで構成した請求項１に記載の円柱状または円筒状の長尺物のセンターリングガイド装置。
【請求項３】
前記歯車機構が、一対のかさ歯車である請求項２に記載の円柱状または円筒状の長尺物のセンターリングガイド装置。
【発明の詳細な説明】
【０００１】
【発明の属する技術分野】
この発明は、円柱状または円筒状の長尺物のセンターリングガイド装置に係わり、更に詳しくは長尺物を変形させたり、外傷を発生させることなくセンターリングすることが出来る円柱状または円筒状の長尺物のセンターリングガイド装置に関するものである。
【０００２】
【従来の技術】
従来、ホースの製造時に使用されるマンドレル（芯材）及び未加硫ゴムホース（以後、ワークと呼称する）をパスラインに対してセンターリングさせる為に、図２及び図３に示すような直交する４本のガイドローラ１ａ，１ｂ，１ｃ，１ｄを使用している。
【０００３】
このガイドローラ１ａ，１ｂ，１ｃ，１ｄの中心部内には、それぞれ摺動可能なスライド軸２ａ，２ｂ，２ｃ，２ｄが摺動可能に挿通され、このスライド軸２ａ，２ｂ，２ｃ，２ｄの先端部３ａ，３ｂ，３ｃ，３ｄは、支点となる固定リング４にピン５を介してそれぞれ回転自在に固定され、また後端側は、固定リング４の外側に配設された可動リング６に設けたスライダー７に挿通されている。
【０００４】
そして、上記の直交する４本のガイドローラ１ａ，１ｂ，１ｃ，１ｄで囲まれた方形状の中空部８に長尺状のワークＱを挿通させてパスラインに対してセンターリングを行うものである（例えば、特許文献１参照）。
【０００５】
【特許文献１】
実開平１−６０７３２号公報（第１〜第３頁、第１図）
【０００６】
【発明が解決しようとする課題】
然しながら、上記の４本のガイドローラ１ａ，１ｂ，１ｃ，１ｄは、ワークＱの外径に合わせて可動リング６を図３に示すように矢印Ｘ方向に回転させることで同時に絞り込む事は出来るが、ワークＱの外径が変わると、水平方向及び鉛直方向に、その姿勢を維持させることが出来ず、従って、４本のガイドローラ１ａ，１ｂ，１ｃ，１ｄに掛かる荷重Ｗが変化し、ワークＱを変形させたり、外傷を発生させると言う問題があった。
【０００７】
この発明はかかる従来の問題点に着目し、長尺物を変形させたり、外傷を発生させることなく精度良くセンターリングすることが出来る円柱状または円筒状の長尺物のセンターリングガイド装置を提供することを目的とするものである。
【０００８】
【発明が解決しようとする課題】
この発明は上記目的を達成するため、接近，離反可能な一対の平行な第１ガイドロールと、この第１ガイドロールと平行な面内で直交する接近，離反可能な一対の平行な第２ガイドロールとで構成し、前記第１ガイドロールと、第２ガイドロールとを、同期して拡縮作動する伝達機構により連結したことを要旨とするものである。
【０００９】
ここで、前記伝達機構は、一対の平行な第１ガイドロールを接近，離反させる第１送りネジと、一対の平行な第２ガイドロールを接近，離反させる第２送りネジと、第１送りネジと第２送りネジとを連結する歯車機構とで構成し、また前記歯車機構としては、一対のかさ歯車を使用する。
【００１０】
このように、この発明では、長尺物（ワーク）の外径が変化し、一対の平行な第１ガイドロールと、一対の平行な第２ガイドロールとの開度が変化しても、一対の第１ガイドロールと一対の第２ガイドロールの回転方向に荷重がかかるようにすることで、長尺物を変形させたり、外傷を発生させることなくセンターリングすることが出来るのである。
【００１１】
【発明の実施の形態】
以下、添付図面に基づき、この発明の実施形態を説明する。
【００１２】
なお、従来例と同一構成要素は、同一符号を付して説明は省略する。
【００１３】
図１は、この発明を実施したマンドレル（芯材）及び未加硫ゴムホース，加硫ゴムホース等の円柱状または円筒状の長尺物Ｑ（ワーク）のセンターリングガイド装置の概略構成図を示し、このセンターリングガイド装置は、接近，離反可能な一対の平行な第１ガイドロール１１ａ，１１ｂと、この第１ガイドロール１１ａ，１１ｂと平行な面内で直交する接近，離反可能な一対の平行な第２ガイドロール１２ａ，１２ｂとで構成し、前記第１ガイドロール１１ａ，１１ｂと、第２ガイドロール１２ａ，１２ｂとを同期して拡縮作動する伝達機構１３により連結してある。
【００１４】
前記伝達機構１３は、一対の平行な第１ガイドロール１１ａ，１１ｂを接近，離反させる左右送りネジ等の第１送りネジ１４と、一対の平行な第２ガイドロール１２ａ，１２ｂを接近，離反させる左右送りネジ等の第２送りネジ１５と、第１送りネジ１４と第２送りネジ１５とを連結する歯車機構１６とで構成され、歯車機構１６としては、第１送りネジ１４の先端に取付けられたかさ歯車１７ａと、第２送りネジ１５の先端に取付けられたかさ歯車１７ｂとで構成されている。
【００１５】
また、前記第２送りネジ１５の基端部には、送りハンドル１８が取付けられ、この送りハンドル１８を所定の方向に回転させると、左右ネジを備えた第２送りネジ１５を介して一対の平行な第２ガイドロール１２ａ，１２ｂは、平行状態を保持したまま接近または離反し、これと同時に、かさ歯車１７ａ，１７ｂを介して連結された第１送りネジ１４を介して一対の平行な第１ガイドロール１１ａ，１１ｂは、水平状態を保持したまま接近または離反する。
【００１６】
これにより、一対の平行な第１ガイドロール１１ａ，１１ｂと一対の平行な第２ガイドロール１２ａ，１２ｂとで囲まれた方形状の中空部１９に挿通された長尺物Ｑをパスラインに対してセンターリングを行うことが出来る。
【００１７】
このように、長尺物Ｑ（ワーク）の外径が変化し、一対の平行な第１ガイドロール１１ａ，１１ｂと一対の平行な第２ガイドロール１２ａ，１２ｂとの開度が変化しても、一対の平行な第１ガイドロール１１ａ，１１ｂまたは一対の平行な第２ガイドロール１２ａ，１２ｂの回転方向に常に荷重がかかるようになり、従って長尺物Ｑを変形させたり、外傷を発生させることなくセンターリングすることが出来るものである。
【００１８】
【発明の効果】
この発明は、上記のように接近，離反可能な一対の平行な第１ガイドロールと、この第１ガイドロールと平行な面内で直交する接近，離反可能な一対の平行な第２ガイドロールとで構成し、前記第１ガイドロールと、第２ガイドロールとを、同期して拡縮作動する伝達機構により連結したので、長尺物（ワーク）の外径が変化し、一対の平行な第１ガイドロールと一対の平行な第２ガイドロールとの開度が変化しても、第１ガイドロール及び第２ガイドロールの回転方向に常に荷重がかかり、従って長尺物を変形させたり、外傷を発生させることなく精度良くセンターリングすることが出来る効果がある。
【図面の簡単な説明】
【図１】この発明を実施した長尺物（ワーク）のセンターリングガイド装置の概略構成図である。
【図２】従来の長尺物（ワーク）のセンターリング装置の概略構成図である。
【図３】従来のセンターリング装置で長尺物（ワーク）の外径が変化した時のガイドロールの位置を示す説明図である。
【符号の説明】
１ａ，１ｂ，１ｃ，１ｄ  ガイドローラ
２ａ，２ｂ，２ｃ，２ｄ  スライド軸
３ａ，３ｂ，３ｃ，３ｄ  スライド軸の先端部
４  固定リング
５  ピン                      ６  可動リング
７  スライダー                ８  中空部
Ｑ  長尺状のワーク            Ｘ  可動リングの回転方向
１１ａ，１１ｂ  第１ガイドロール
１２ａ，１２ｂ  第２ガイドロール
１３  伝達機構
１４  第１送りネジ
１５  第２送りネジ
１６  歯車機構
１７ａ，１７ｂ  かさ歯車
１８  送りハンドル
１９  中空部
【図１】
2005008299.tif 000003
【図２】
2005008299.tif 000004
【図３】
2005008299.tif 000005